(57)【要約】【課題】  多くのチャンネルで放送される番組に関する番組情報を短時間でかつ少ない回数の指示で閲覧することができ、かつ、ユーザがチャンネルの選択状態表示位置を見失うことを回避できる電子番組表表示装置を提供する。【解決手段】  表示パネル１０と、番組情報をチャンネル順に配列した形態の電子番組表として表示パネル１０に表示させ、ユーザ指示に応じて電子番組表をチャンネル方向にスクロールさせるスクロール処理部８１ａを含む表示制御部８１と、電子番組表中の選択された番組に関する番組情報を選択状態表示させる番組選択モードと選択された期間に放送される番組に関する電子番組表を表示させる期間選択モードとを切り替えるモード切替部８３とを設け、スクロール処理部８１ａが、番組選択モードから期間選択モードへの切り替えに応じてチャンネル方向への電子番組表のスクロールの移動単位をチャンネル単位からページ単位に切り替える。【選択図】  図１
2006217431.tif 000002
【特許請求の範囲】
【請求項１】
情報を表示するための表示部と、
複数のチャンネルで放送される番組に関する番組情報をチャンネル順に配列した形態の電子番組表として表示部に表示させる表示制御部と、
ユーザ指示に応じて、上記表示制御部の動作モードを、（１）電子番組表を表示部に表示させると共に、ユーザによる番組を選択する指示に応じて電子番組表中の選択された番組に関する番組情報を選択状態表示させる番組選択モード、および（２）ユーザによる期間を選択する指示に応じて選択された期間に放送される番組に関する電子番組表を表示部に表示させる期間選択モードの間で切り替えるモード切替部とを備え、
上記表示制御部が、ユーザ指示に応じて、番組情報が表示されるチャンネルが変化するように電子番組表をチャンネル順の配列方向にスクロールさせるスクロール処理部を含む電子番組表表示装置において、
上記スクロール処理部が、上記モード切替部による番組選択モードから期間選択モードへの切り替えに応じて、チャンネル順の配列方向に沿った電子番組表のスクロールの移動単位を増大させるようになっていることを特徴とする電子番組表表示装置。
【請求項２】
上記スクロール処理部は、上記モード切替部による番組選択モードから期間選択モードへの切り替えに応じて、チャンネル順の配列方向に沿った電子番組表のスクロールの移動単位をチャンネル単位からページ単位に切り替えるようになっていることを特徴とする請求項１記載の電子番組表表示装置。
【請求項３】
上記スクロール処理部は、上記表示制御部の動作モードが番組選択モードおよび期間選択モードの何れであっても、ユーザが入力装置に入力した同一の指示に応じてチャンネル順の配列方向に電子番組表をスクロールさせるようになっていることを特徴とする請求項１または２に記載の電子番組表表示装置。
【請求項４】
情報を表示するための表示部と、
複数のチャンネルで放送される番組に関する番組情報をチャンネル順に配列した形態の電子番組表として表示部に表示させる表示制御部と、
ユーザ指示に応じて、チャンネル順の配列方向に電子番組表をスクロールさせるスクロール処理部とを備える電子番組表表示装置において、
上記スクロール処理部は、少なくとも一部の動作状態において、ページ単位でチャンネル順の配列方向に電子番組表をスクロールさせるようになっていることを特徴とする電子番組表表示装置。
【発明の詳細な説明】
【技術分野】
【０００１】
本発明は、電子番組表（電子番組ガイド(Electronic Program Guide)；以下、適宜「ＥＰＧ」と記す）をスクロール表示することが可能なＥＰＧ表示装置に関するものである。
【背景技術】
【０００２】
ＥＰＧ表示装置は、一般に、多くのチャンネルに関する番組情報をＥＰＧとして表示するために、利用可能な全てのチャンネルに関する番組情報を示すＥＰＧの全体を一度に表示することができない。
【０００３】
そこで、従来から、複数のチャンネルに関する番組情報を、チャンネルを縦軸（または横軸）、放送時間を横軸（または縦軸）とするＥＰＧの形態で表示するＥＰＧ表示装置において、ＥＰＧ中の一部チャンネルに対応する部分を表示し、ユーザ指示に応じてチャンネル方向、すなわち縦軸（または横軸）方向にＥＰＧをスクロールさせ、ＥＰＧ中の残りチャンネルに対応する部分が表示させる構成のものが知られている。
【０００４】
また、ユーザが期間を指定してその期間のＥＰＧを表示させることができるＥＰＧ表示装置が知られており、そのようなＥＰＧ表示装置においても、ＥＰＧをチャンネル方向にスクロールさせて表示するものが知られている。
【０００５】
例えば、特許文献１には、番組を表示する番組セル以外に日付を選択する日付セルも合わせて表示し、ユーザが日付セルを選択すると、その日付の番組情報を表示する電子番組ガイド表示装置が開示されている。そして、この電子番組ガイド表示装置では、最初か最後のチャンネル番号の番組セルまでスクロールさせるようになっている。
【０００６】
また、ユーザが番組を選択するための通常のＥＰＧ表示モードと、ユーザが期間を指定してその期間のＥＰＧを表示させることができる日時検索モードとを切り替えることが可能なＥＰＧ表示装置が知られており、そのようなＥＰＧ表示装置においても、ＥＰＧをチャンネル方向にスクロールさせて表示することが可能なものが知られている。
【０００７】
例えば、出願人が本願出願時に販売している液晶テレビ「ＡＱＵＯＳ  Ｇシリーズ」（例えば２００４年９月１日発売の「ＬＣ−３７ＧＤ３」および「ＬＣ−３７ＧＤ４」）においては、ユーザが番組を選択するための通常のＥＰＧ表示モードと、ユーザが日付および時間帯を指定してその期間のＥＰＧを表示させることができる日時検索モードとを切り替えてＥＰＧを表示することが可能となっており、かつ、通常のＥＰＧ表示モードおよび日時検索モードの両方でＥＰＧをチャンネル方向にスクロールさせて表示することができるようになっている。
【特許文献１】特開２００４−２８２６４７号公報（２００３年３月１８日公開）
【発明の開示】
【発明が解決しようとする課題】
【０００８】
しかしながら、特許文献１の電子番組ガイド表示装置および上記液晶テレビ「ＡＱＵＯＳ  Ｇシリーズ」は、日時検索時にチャンネル方向のスクロールがチャンネル単位で行われるので、スクロールが遅い。また、スクロールさせる指示をユーザが入力する回数が多く必要になる。したがって、多くのチャンネル（一度に番組情報が表示されるチャンネル数よりも２つ以上多いチャンネル）に関する番組情報を閲覧するのに、時間がかかると共に、ユーザが多くの指示を入力する必要がある。また、日時検索モードのＥＰＧを利用して、予約したい番組などの所望の番組を選択する操作が、長い時間を要するものとなり、また、複雑になる。
【０００９】
本発明は、上記の問題点に鑑みてなされたものであり、その目的は、多くのチャンネルで放送される番組に関する番組情報を短時間でかつ少ない回数の指示で閲覧することができる電子番組表表示装置を提供することにあり、特に、多くのチャンネルで放送される番組に関する番組情報を短時間でかつ少ない回数の指示で閲覧することができ、かつ、ユーザがチャンネルの選択状態表示位置を見失うことを回避できる電子番組表表示装置を提供することにある。
【課題を解決するための手段】
【００１０】
本発明の電子番組表表示装置は、上記課題を解決するために、情報を表示するための表示部と、複数のチャンネルで放送される番組に関する番組情報をチャンネル順に配列した形態の電子番組表として表示部に表示させる表示制御部と、ユーザ指示に応じて、上記表示制御部の動作モードを、（１）電子番組表を表示部に表示させると共に、ユーザによる番組を選択する指示に応じて電子番組表中の選択された番組に関する番組情報を選択状態表示させる番組選択モード、および（２）ユーザによる期間を選択する指示に応じて選択された期間に放送される番組に関する電子番組表を表示部に表示させる期間選択モードの間で切り替えるモード切替部とを備え、上記表示制御部が、ユーザ指示に応じて、番組情報が表示されるチャンネルが変化するように電子番組表をチャンネル順の配列方向にスクロールさせるスクロール処理部を含む電子番組表表示装置において、上記スクロール処理部が、上記モード切替部による番組選択モードから期間選択モードへの切り替えに応じて、チャンネル順の配列方向に沿った電子番組表のスクロールの移動単位を増大させるようになっていることを特徴としている。
【００１１】
上記構成によれば、期間選択モードでは、より大きい移動単位でチャンネル順の配列方向に電子番組表をスクロールさせるようになっているので、ユーザ指示の回数に対する電子番組表のスクロール量をより大きくすることができる。すなわち、スクロールを高速化することができる。したがって、ユーザが、所望の期間に多くのチャンネルで放送される番組に関する番組情報を、より短時間で、また、より少ない回数の指示（例えばキー入力）で、閲覧することができる。
【００１２】
また、電子番組表中の番組情報が選択状態表示された状態で、チャンネル順の配列方向に高速スクロール（大きい移動単位でのスクロール）を行うと、選択状態表示位置が大きく移動する。そのため、ユーザが、選択状態表示位置を見失ってしまい、選択されている番組を確認するのに余分な時間や目の動きが必要になる恐れがある。また、番組選択モードにおいて、電子番組表中で選択された番組のチャンネルを選択状態表示する場合、チャンネル順の配列方向に高速スクロール（大きい移動単位でのスクロール）を行うと、チャンネルの選択状態表示位置が大きく移動する。そのため、ユーザが、チャンネルの選択状態表示位置を見失ってしまい、選択されている番組のチャンネルを確認するのに余分な時間や目の動きが必要になる恐れがある。
【００１３】
上記構成では、番組選択モードにおいて、比較的小さい移動単位でチャンネル順の配列方向に電子番組表をスクロールさせるようになっているので、選択状態表示位置（カーソル等の位置）の移動を抑えることができる。そのため、ユーザが、選択状態表示位置を見失ってしまい、選択されている番組を確認するのに余分な時間や目の動きが必要になることを回避できる。また、番組選択モードにおいて、電子番組表中で選択された番組のチャンネルを選択状態表示する場合、チャンネルの選択状態表示位置の移動を抑えることができる。そのため、ユーザが、チャンネルの選択状態表示位置を見失ってしまい、選択されている番組のチャンネルを確認するのに余分な時間や目の動きが必要になることを回避できる。なお、期間選択モードでは、番組ではなく期間が選択されるため、番組やそのチャンネルを選択状態表示する必要がない。そのため、（時間セルなどの他の部分には選択状態表示位置があったとしても）チャンネル順の配列方向へのスクロールによって移動する番組やそのチャンネルには選択状態表示位置がないので、ユーザが選択状態表示位置を見失う問題は生じない。
【００１４】
また、番組選択モードと期間選択モードとの切り替えが可能な電子番組表表示装置においては、一般的に、両方のモードにおいて、電子番組表を、横軸および縦軸の一方を時間軸とし、他方をチャンネル軸（チャンネル順の配列方向）としたマトリクス状の形態で表示し、時間軸方向に沿ったスクロールが可能であり、かつ、時間軸方向に沿ったスクロールの移動単位は、期間選択モードよりも番組選択モードの方が小さくなっている（例えば、期間選択モードでは日単位、６時間単位、３時間単位などであり、番組選択モードでは番組単位または１時間単位である）。この一般的な構成において、番組選択モードで、チャンネル軸方向のスクロールを比較小さい単位で行うようにすれば、モードによる比較的小さい時間軸方向のスクロールの移動単位の変化に整合させて、チャンネル軸方向のスクロールの移動単位を変化させることができる。したがって、縦方向および横方向のスクロール速度を近づけることができ、自然なスクロール表示を実現できる。
【００１５】
なお、「スクロール」とは、狭義では、画像の全てを一度にスクリーン上に表示できず、画像の一部のみをスクリーン上に表示しているときに、表示内容が部分的に変化していくように、画像の表示される部分を画像内で連続的にシフトすることを指す。しかしながら、本願明細書における「スクロール」は、狭義の「スクロール」だけでなく、画像の全てを一度にスクリーン上に表示できず、画像の一部のみをスクリーン上に表示しているときに、表示内容が全面的（または部分的）に変化していくように、画像の表示される部分を画像内で１画面分（スクリーン上に一度に表示される画像；以下、「ページ」と呼ぶ）ずつ連続的にシフトする処理（ページ切り替え処理）をも含むものとする。また、本願明細書では、スクロール時に、１回のユーザ指示に応じて画像をスクロールしたときにスクリーン上の表示画像が移動する量を、「（スクロールの）移動単位」と呼ぶ。
【００１６】
また、本願明細書において、「選択状態表示」とは、選択されている部分（例えば、選択されている番組に関する番組情報を表示する部分）を、選択されていない部分と区別できるようにする表示を指し、例えば、ハイライト表示、カーソル表示などである。ハイライト表示とは、選択されている部分を選択されていない部分と異なる形態で表示するものであり、反転表示（選択されている部分を選択されていない部分とで、文字部分の輝度と背景部分の輝度との間の高低関係を反転させる表示）、色分け表示（選択されている部分を選択されていない部分とで、文字部分および／または背景部分の色を異ならせる表示）などである。また、カーソル表示とは、選択されている部分に、矢印や太枠などのカーソルを表示するものである。
【００１７】
本発明の電子番組表表示装置において、上記スクロール処理部は、上記モード切替部による番組選択モードから期間選択モードへの切り替えに応じて、チャンネル順の配列方向に沿った電子番組表のスクロールの移動単位をチャンネル単位からページ単位に切り替えるようになっていることが好ましい。
【００１８】
上記構成によれば、期間選択モードでは、ページ単位でチャンネル順の配列方向に電子番組表をスクロールさせるようになっているので、ユーザ指示の回数に対する電子番組表のスクロール量（スクロールによる移動量）を最大化できる。すなわち、スクロール速度を最速化することができる。したがって、ユーザが、所望の期間に全てのチャンネルで放送される番組に関する番組情報を、より短時間で、また、より少ない回数の指示（例えばキー入力）で、閲覧することができる。
【００１９】
上記構成では、番組選択モードにおいて、チャンネル単位でチャンネル順の配列方向に電子番組表をスクロールさせるようになっているので、選択状態表示位置（カーソル等の位置）の移動量を最小限に抑えることができる。そのため、ユーザが、選択状態表示位置を見失ってしまい、選択されている番組を確認するのに余分な時間や目の動きが必要になることを回避できる。また、番組選択モードにおいて、電子番組表中で選択された番組のチャンネルを選択状態表示する場合、チャンネルの選択状態表示位置の移動量を最小限に抑えることができる。そのため、ユーザが、チャンネルの選択状態表示位置を見失ってしまい、選択されている番組のチャンネルを確認するのに余分な時間や目の動きが必要になることを回避できる。
【００２０】
また、番組選択モードにおいては、一般的に、電子番組表を、横軸および縦軸の一方を時間軸とし、他方をチャンネル軸としたマトリクス状の形態で表示し、時間軸方向に沿って番組単位または１時間単位のスクロールが可能となっている。この一般的な構成において、番組選択モードで、チャンネル軸方向のスクロールをチャンネル単位で行うようにすれば、チャンネル軸方向のスクロールの移動単位を時間軸方向のスクロールの移動単位に整合させることができる。したがって、縦方向および横方向のスクロール速度を近づけることができ、自然なスクロール表示を実現できる。
【００２１】
なお、スクロールの移動単位がチャンネル単位であるとは、１回のユーザ指示によるスクロールの結果としてＥＰＧが移動する量が１チャンネル分（あるいは同一番組を放送する複数チャンネル分）であることを指し、スクロールの移動単位がページ単位であるとは、１回のユーザ指示によるスクロールの結果としてＥＰＧが移動する量が１ページ分（一度に表示されるチャンネル数の分）であることを指す。
【００２２】
また、本発明の電子番組表表示装置において、上記スクロール処理部は、上記表示制御部の動作モードが番組選択モードおよび期間選択モードの何れであっても、ユーザが入力装置に入力した同一の指示に応じてチャンネル順の配列方向に電子番組表をスクロールさせるようになっていることが好ましい。
【００２３】
上記構成では、番組選択モードおよび期間選択モードの何れにおいても、ユーザが同一の指示を入力装置に入力すれば、スクロール処理部によってチャンネル順の配列方向に電子番組表がスクロールされる。それゆえ、ユーザは、チャンネル順の配列方向に電子番組表がスクロールしたいときには、番組選択モードであるか期間選択モードであるかを気にすることなく、すなわちチャンネル順の配列方向に沿った電子番組表のスクロールがどのような移動単位で行われるかを気にすることなく、チャンネル順の配列方向に電子番組表をスクロールさせる指示（以下、「スクロール指示」と称する）を入力すればよい。
【００２４】
したがって、使い勝手が向上する。また、入力装置がスクロール指示を入力するためのキーを備える場合、上記構成では、スクロール指示を入力するためのキーを、番組選択モードと期間選択モードとのそれぞれに対して、すなわち移動単位の異なる複数のスクロール指示のそれぞれに対して、別々に設ける必要がない。そのため、入力装置の構成を簡素化することができる。
【００２５】
また、本発明の電子番組表表示装置は、上記の課題を解決するために、情報を表示するための表示部と、複数のチャンネルで放送される番組に関する番組情報をチャンネル順に配列した形態の電子番組表として表示部に表示させる表示制御部と、ユーザ指示に応じて、チャンネル順の配列方向に電子番組表をスクロールさせるスクロール処理部とを備える電子番組表表示装置において、上記スクロール処理部は、少なくとも一部の動作状態において、ページ単位でチャンネル順の配列方向に電子番組表をスクロールさせるようになっていることを特徴としている。
【００２６】
上記構成によれば、少なくとも一部の動作状態において、ページ単位でチャンネル順の配列方向に電子番組表をスクロールさせるようになっているので、ユーザ指示の回数に対する電子番組表のスクロール量（スクロールによる移動量）を増大させることができる。すなわち、スクロールを高速化することができる。したがって、ユーザが、多くのチャンネルで放送される番組に関する番組情報を、より短時間で、また、より少ない回数の指示（例えばキー入力）で、閲覧することができる。
【発明の効果】
【００２７】
本発明の電子番組表表示装置は、以上のように、期間選択モードあるいは少なくとも一部の動作状態において、より大きい移動単位（特にページ単位）でチャンネル順の配列方向に電子番組表をスクロールさせるようにしたので、ユーザが、所望の期間に多くのチャンネルで放送される番組に関する番組情報を、より短時間で、また、より少ない回数の指示（例えばキー入力）で、閲覧することができる。
【００２８】
また、本発明の電子番組表表示装置は、以上のように、番組選択モードでは、比較的小さい移動単位（特にチャンネル単位）でチャンネル順の配列方向に電子番組表をスクロールさせるようにしたので、選択状態表示位置の移動を抑えることができる。そのため、ユーザが、選択状態表示位置を見失ってしまい、選択されている番組を確認するのに余分な時間や目の動きが必要になることを回避できる。
【発明を実施するための最良の形態】
【００２９】
〔実施の形態１〕
本発明の一実施形態について図１ないし図２７に基づいて説明すると、以下の通りである。
【００３０】
ここでは、本発明に係るＥＰＧ表示装置の実施の一形態として、コンテンツ（映像情報や音声情報）およびＥＰＧ情報を含むデジタル放送波を受信し、受信したコンテンツ（映像情報や音声情報）を出力すると共に、受信したＥＰＧ情報に基づいてデジタル放送のＥＰＧを表示するデジタル放送受信機能付きテレビについて説明する。
【００３１】
デジタル放送としては、現在、ＢＳ（Broadcasting Satellite；放送衛星）を使用してテジタル信号による放送を行うＢＳデジタル放送、ＣＳ（Communication Satellite；通信衛星）を使用してテジタル信号による放送を行うＣＳデジタル放送、地上の電波塔からデジタル化した放送波を送信する地上テジタル放送、の３種類の放送が行われているが、デジタル放送テレビ１００は、これら３種類の放送のいずれも受信可能である。また、デジタル放送では、現在、テレビ放送、ラジオ放送、データ放送の３種類のサービスが行われている。これら３つのサービスで提供されるコンテンツは、テレビ放送では映像情報および音声情報、ラジオ放送では音声情報、データ放送では文字情報である。デジタル放送テレビ１００は、これら３種類のサービスのいずれにも対応しており、各サービスで提供されるコンテンツを映像および／または音声として出力することができる。なお、サービスの違いは、表示画面の表示レイアウトには関係がないため、以下の説明では、デジタル放送波がテレビ放送のものである場合について説明する。
【００３２】
図１に示すように、本実施形態に係るデジタル放送受信機能付きテレビ（以下、「デジタル放送テレビ」と称する）１００は、地上／ＢＳ／ＣＳデジタル復調部２、デマルチプレクサ３、ＥＰＧ情報取得（記憶）部４、グラフィック描画部（ＥＰＧ画面作成部）５、ＥＰＧ画面出力部６、リモートコントロール装置（以下の説明および図面中では、「リモコン」と略記する）受光部７、システム制御部８、図示しない画面レイアウト情報記憶部、スクリーン上に映像を表示する表示パネル１０、ＡＶデコーダ１１、および音声出力部１２を備えている。
【００３３】
地上／ＢＳ／ＣＳデジタル復調部２は、地上デジタル放送、ＢＳデジタル放送、またはＣＳデジタル放送のデジタル放送波（デジタル放送信号を搬送する高周波の放送波）をデジタル放送の放送局から受信する外部のアンテナ１に接続されている。地上／ＢＳ／ＣＳデジタル復調部２は、所望のチャンネルのデジタル放送波に同調することで、アンテナ１で受信されたデジタル放送信号の中から所望のチャンネルのデジタル放送信号を取り出すと共に、デジタル放送信号をベースバンドのビットストリーム信号に復調する。
【００３４】
地上／ＢＳ／ＣＳデジタル復調部２で復調されるビットストリーム信号は、番組のコンテンツ（映像情報および音声情報）のビットストリーム信号、ＥＰＧ情報のビットストリーム信号などを多重化したものである。デマルチプレクサ３は、この多重化されたビットストリーム信号から、ＥＰＧ情報のビットストリーム信号（以下、「ＥＰＧデータ」と称する）を取り出す。すなわち、デマルチプレクサ３は、多重化されたビットストリーム信号を、映像情報のビットストリーム信号、音声情報のビットストリーム信号、ＥＰＧデータなどに分離する。また、デマルチプレクサ３は、映像情報および音声情報のビットストリーム信号をＡＶデコーダ１１に送る。なお、ビットストリーム信号に含まれるＥＰＧデータは、テレビ放送の場合、通常、約１週間分（例えば８日間）のＥＰＧ（週間番組表）に関するＥＰＧデータである。
【００３５】
ＥＰＧ情報取得（記憶）部４は、デマルチプレクサ３で取り出されたＥＰＧデータを記憶するものである。
【００３６】
画面レイアウト情報記憶部は、ＥＰＧ、あるいは、ＥＰＧに含まれている番組の中で条件（検索条件等）を満たす一部の番組（複数の番組）の一覧を表示するための表示領域を含む表示画面（以下、「ＥＰＧ画面」と称する）を表示する情報表示モード（以下、「ＥＰＧ表示モード」と称する）の各々について予め定められた画面レイアウトの情報を記憶するものである。この画面レイアウトの情報は、各ＥＰＧ表示モードにおける、ＥＰＧ画面の表示レイアウト、すなわちＥＰＧ画面中に含まれる複数の情報表示領域をどの位置に配置するかを示す情報である。画面レイアウトの情報は、日時検索モードのときを除いて、ＥＰＧ画面中の上部の同一位置に番組情報表示領域（後述する）を配置するものとなっている。
【００３７】
システム制御部８は、特定のＥＰＧ表示モードでＥＰＧを表示させるユーザの指示を指示信号として受け、この指示信号に基づいて、それ自身の動作と、地上／ＢＳ／ＣＳデジタル復調部２、デマルチプレクサ３、ＥＰＧ情報取得（記憶）部４、およびＥＰＧ画面出力部６の動作とを制御する。システム制御部８は、ＥＰＧ画面出力部６を制御することで表示制御を行う。
【００３８】
システム制御部８は、表示制御部８１、日時検索部８２、およびモード切替部８３を含んでいる。
【００３９】
表示制御部８１は、リモコン受光部７から送られた指示信号に基づいて、ＥＰＧ表示領域中における、選択した番組に関する情報（例えば、番組のタイトル）を表示する部分（例えば、表の１つのセル）を選択状態表示（ハイライト表示など）する処理、選択状態表示された部分（以下、適宜「カーソル」と呼ぶ）を移動する処理などの処理を行うようにグラフィック描画部５を制御する。表示制御部８１は、リモコン受光部７から送られたＥＰＧ画面の起動または切り替えを指示する指示信号に基づき、ＥＰＧ表示モードに応じたＥＰＧデータをＥＰＧ情報取得（記憶）部４から読み出してグラフィック描画部５に送ると共に、ＥＰＧ表示モードに応じた画面レイアウトの情報を画面レイアウト情報記憶部から読み出してグラフィック描画部５に送る。これらにより、表示制御部８１は、ＥＰＧデータに基づいて、利用可能な全てのチャンネルに関するＥＰＧの少なくとも一部チャンネルに対応する部分を表示パネル１０に表示させるようになっている。表示制御部８１は、、ＥＰＧを、縦方向にチャンネル番号順に番組情報を配列させ、かつ、横方向を時間軸として時間順に番組情報を配列させたマトリクス状の形態で表示パネル１０に表示させるようになっている。この場合、チャンネル順の配列方向（以下、「チャンネル方向」と称する）は、縦方向である。
【００４０】
日時検索部８２は、日時検索モードにおいて、ＥＰＧ情報取得（記憶）部４に記憶されたＥＰＧデータに含まれる複数の番組に関する情報の中から、ユーザが指定した検索条件あるいは初期設定の検索条件に合致する番組に関する情報を検索し、検索結果を表示制御部８１などに送るものである。
【００４１】
モード切替部８３は、リモコン受光部７から送られたモードの切替を指示する指示信号、例えば後述する緑キー２１１（基本表示モードから日時検索モードへの切り替えキー）がユーザによって押下されたことを示す指示信号に基づいて、表示制御部８１の動作モードを、基本表示モード（番組選択モード）と日時検索モード（期間選択モード）との間で切り替えるものである。
【００４２】
基本表示モードは、ＥＰＧを表示パネル１０に表示させると共に、ユーザによる番組を選択する指示（後述する上下左右カーソルキー２０３〜２０６の押下）に応じてＥＰＧ中の選択された番組に関する番組情報およびチャンネル番号を選択状態表示（ハイライト表示等）させるモードである。また、日時検索モードは、ユーザによる期間を選択する指示（後述する左右カーソルキー２０４・２０５、緑キー２１１、および黄キー２１２の何れかの押下）に応じて選択された期間に放送される番組に関する電子番組表を表示部に表示させるモードである。これらモードの詳細については後述する。
【００４３】
表示制御部８１は、ＥＰＧのスクロール処理（ＥＰＧをスクロールさせるスクロール表示処理）を行うためのスクロール処理部８１ａを含んでいる。スクロール処理部８１ａは、利用可能な全てのチャンネルに関するＥＰＧの全体が表示パネル１０に表示できず、利用可能なチャンネルの一部に対応する部分のみを表示パネル１０に表示しているときに、ユーザによるスクロール指示に応じて、番組情報が表示されるチャンネルが変化するようにＥＰＧをチャンネル方向にスクロールさせ、ＥＰＧ中の残りチャンネルに対応する部分を表示させるものである。スクロール処理部８１ａは、スクロールの移動単位を決め、このスクロールの移動単位にしたがって、ＥＰＧの各行（チャンネル）の移動、消去、追加などの処理を行い、この処理に応じたＥＰＧデータをＥＰＧ情報取得（記憶）部４から読み出して表示制御を行う。
【００４４】
上記スクロール処理部８１ａは、表示制御部８１の動作モードが基本表示モードおよび日時検索モードの何れであっても、ユーザが後述するリモートコントローラ（入力装置）２００に入力した同一の指示（同一のキー操作による指示）に応じてチャンネル方向にＥＰＧをスクロールさせるようになっている。したがって、ユーザは、モードの切り替えを意識することなく、共通の指示によってチャンネル方向にＥＰＧをスクロールさせることができる。
【００４５】
グラフィック描画部５は、システム制御部８による制御を受けて、これらＥＰＧデータおよび画面レイアウトの情報からＥＰＧ画面の画像信号を作成する。このとき、グラフィック描画部５は、日時検索モードのときを除いて、表示パネル１０のスクリーンにおける同一位置に番組情報表示領域を表示させるような画像信号である。グラフィック描画部５は、作成したＥＰＧ画面の画像信号をＥＰＧ画面出力部６に送る。
【００４６】
ＡＶデコーダ１１は、デマルチプレクサ３から送られた映像情報のビットストリーム信号を、表示パネル１０で処理可能な形式の映像信号に復号する処理（ＭＰＥＧ(Motion Picture Experts Group)２形式の映像信号の復号処理など）を行い、処理により得られた映像信号を表示パネル１０に送ると共に、デマルチプレクサ３から送られた音声情報のビットストリーム信号を、音声出力部１２で処理可能な形式の音声信号に復号して音声出力部１２に送る。音声出力部１２は、ＡＶデコーダ１１から送られた音声信号に応じて音声を出力する。
【００４７】
ＥＰＧ画面出力部６は、グラフィック描画部５から送られたＥＰＧ画面の画像信号を受信機の出力信号として表示パネル１０に出力し、表示パネル１０にＥＰＧ画面を表示させる。ＥＰＧ画面出力部６は、必要に応じて、グラフィック描画部５から送られたＥＰＧ画面の画像信号をＡＶデコーダ１１から送られた映像信号と合成し、得られた映像信号を表示パネル１０に出力する。すなわち、ＥＰＧ画面出力部６は、ユーザがデジタル放送を視聴している状態でＥＰＧ画面の表示を行う場合には、グラフィック描画部５から送られたＥＰＧ画面の画像信号をＡＶデコーダ１１から送られた映像信号と合成し、得られた映像信号を表示パネル１０に出力する。一方、ＥＰＧ画面出力部６は、ユーザがデジタル放送を視聴していない状態でＥＰＧ画面の表示を行う場合には、グラフィック描画部５から送られたＥＰＧ画面の画像信号を映像信号として表示パネル１０に出力する。また、ＥＰＧ画面出力部６は、ＥＰＧ画面を表示しない通常の視聴状態においては、ＡＶデコーダ１１から送られた映像信号を表示パネル１０にそのまま出力する。
【００４８】
リモコン受光部７は、リモコン２００からの信号を受信し、受信した信号に基づいてユーザがリモコン２００に入力した指示を判別し、その指示に応じた指示信号をシステム制御部８に送る。
【００４９】
リモコン２００は、図２に示すように、デジタル放送テレビ１００の表示パネル１０にＥＰＧ画面を表示させるための番組表キー２０１、デジタル放送テレビ１００の表示パネル１０に裏番組表を表示させるための裏番組表キー２０２、ＥＰＧ画面上のカーソルを上へ移動させるための上カーソルキー２０３、ＥＰＧ画面上のカーソルを左へ移動させるための左カーソルキー２０４、ＥＰＧ画面上のカーソルを右へ移動させるための右カーソルキー２０５、ＥＰＧ画面上のカーソルを下へ移動させるための下カーソルキー２０６、ＥＰＧ画面上でカーソルのある位置の番組（現在選択している番組）を選局あるいは予約するための決定キー２０７、デジタル放送テレビ１００の表示パネル１０上へのＥＰＧ画面の表示を終了するための終了キー２０８、青キー２０９、赤キー２１０、緑キー２１１、および黄キー２１２を備えている。
【００５０】
リモコン２００は、そのキー群の操作に応じて各種指示を表す信号をリモコン受光部７へ送るものである。リモコン２００は、例えば、番組表キー２０１が押下されたときには基本のＥＰＧ画面（後述するＥＰＧ画面２０）を起動する指示を表す信号を送り、基本のＥＰＧ画面が表示された状態で緑キー２１１が押下されたときには基本のＥＰＧ画面を他のＥＰＧ画面（後述するＥＰＧ画面５０）に切り替える指示を表す信号を送る。
【００５１】
デジタル放送テレビ１００は、異なる表示レイアウトを持つＥＰＧ画面（後述するＥＰＧ画面２０および５０）を表示する２種類のＥＰＧ表示モードを備え、これらＥＰＧ表示モードを切り替えて２種類のＥＰＧ画面を切り替え表示することが可能となっている。２種類のＥＰＧ表示モードは、（１）ＥＰＧおよび番組情報を含むＥＰＧ画面（基本画面）を表示する基本表示モード、および（２）日時検索条件に合致した番組の一覧を含むＥＰＧ画面（日時検索画面）を表示する日時検索モードである。
【００５２】
これら２種類のＥＰＧ表示モードの切り替え処理について、図１ないし図４に基づいて以下に説明する。
【００５３】
〔基本表示モード（番組選択モード）〕
デジタル放送テレビ１００は、通常は、表示パネル１０上にＥＰＧを表示させることなく選局中の番組の映像を表示している状態、すなわちユーザが番組を視聴している状態；以下、「通常視聴状態」と称する）にある。この通常視聴状態では、デジタル放送信号が、アンテナ１で受信され、地上／ＢＳ／ＣＳデジタル復調部２でベースバンドのビットストリーム信号に復調される。そして、復調されたビットストリーム信号が、デマルチプレクサ３にて、映像情報のビットストリーム信号、音声情報のビットストリーム信号、ＥＰＧデータなどに分離される。映像情報のビットストリーム信号は、ＡＶデコーダ１１で復号された後、ＥＰＧ画面出力部６を介して表示パネル１０に送られ、映像として表示パネル１０に表示される。音声情報のビットストリーム信号は、ＡＶデコーダ１１で復号された後、音声出力部１２に送られ、音声として音声出力部１２から出力される。ＥＰＧデータは、ＥＰＧ情報取得（記憶）部４に格納される。なお、ＥＰＧデータは、常に受信される必要はなく、常時受信していても良いし，所定のタイミングで、例えば、デジタル放送信号の受信を開始した時に受信されても良い。
【００５４】
この通常視聴状態では、デジタル放送テレビ１００は、ユーザがリモコン２００の番組表キー２０１を押下するまでは、ＥＰＧ画面を起動せずに待機する。
【００５５】
そして、システム制御部８は、ユーザがリモコン２００の番組表キー２０１を押下すると、すなわち、リモコン受光部７からＥＰＧ画面の起動を指示する指示信号を受け取ると、デジタル放送テレビ１００は、デジタル放送の放送局から受信したＥＰＧデータに基づいて表示パネル１０にＥＰＧを表示すると同時に、上記ＥＰＧデータに基づいて、ＥＰＧ中に表示された複数の番組の中で現在選択されている１つの番組に関する番組情報（ＥＰＧ中の情報よりも詳細な情報）を表示パネル１０のスクリーンの上部に配置された番組情報表示領域に表示する。より詳細には、システム制御部８は、ユーザから番組の選択指示を受けていない初期状態では、ＥＰＧ中に表示された番組の中から１つの番組、例えば視聴している番組を選択し、どの番組を選択しているかを示す情報を記憶する。また、システム制御部８は、ユーザから番組の選択指示を受けた後は、ユーザの指示に従って番組を選択し、どの番組を選択しているかを示す情報を記憶する。システム制御部８は、リモコン受光部７から受信したＥＰＧの表示を指示する信号と、どの番組を選択しているかを示す情報とに基づき、基本表示モードに応じたＥＰＧデータ、すなわちＥＰＧ中に表示すべき情報（番組タイトルなど）および現在選択されている番組に関する番組情報をＥＰＧ情報取得（記憶）部４から読み出してグラフィック描画部５に送ると共に、基本表示モードに応じた画面レイアウトの情報を画面レイアウト情報記憶部から読み出してグラフィック描画部５に送る。そして、グラフィック描画部５が、ＥＰＧ中に表示すべき情報および現在選択されている番組に関する番組情報と、画面レイアウトの情報とから、ＥＰＧおよび番組情報を含むＥＰＧ画面の画像信号を作成する。そして、ＥＰＧ画面出力部６が、作成されたＥＰＧ画面の画像信号を表示パネル１０に出力することで、表示パネル１０にＥＰＧ画面を表示させる。
【００５６】
その結果、図３に示すように、表示パネル１０（図１参照）のスクリーン１０ａ上にＥＰＧ画面２０（基本画面）が、視聴中の番組の映像に重ねて表示された状態となる。
【００５７】
ＥＰＧ画面２０は、図３に示すように、現在選択されている番組に関する番組情報を表示する番組情報表示領域（番組情報表示欄）２１と、ＥＰＧを表示するＥＰＧ表示領域２２と、操作ガイダンスを表示する操作ガイダンス表示領域２３とを含んでいる。
【００５８】
ＥＰＧ表示領域２２は、受信中のチャンネルと同一種類の放送（地上デジタル放送、ＢＳデジタル放送、またはＣＳデジタル放送）に属する複数のチャンネルで放送中あるいは放送予定の番組に関する番組タイトルなどの番組情報を時系列で一覧表示するものである。この例では、時間軸が横軸であり、各チャンネルの情報を表示する行（以下、適宜、単に「行」と呼ぶ）が縦方向に並んでいる。また、各番組に関する番組情報は、各番組ごとに設けられたセル（以下、「番組セル」と称する）内に表示されている。番組セル内には、番組タイトルが表示されると共に、その番組のジャンルを示すアイコンが番組タイトルの前に表示されている。
【００５９】
ＥＰＧ表示領域２２では、常にいずれか１つの番組セルが選択された状態となる。通常の視聴状態からＥＰＧ画面２０を起動した場合、現在視聴中の番組が選択される。そして、現在選択されている番組の番組セルが選択状態表示（この例ではハイライト表示）される。したがって、通常の視聴状態からＥＰＧ画面２０を起動した場合、現在視聴中の番組に対応する番組セルが選択状態表示される。また、ＥＰＧ表示領域２２では、ユーザが、リモコン２００のカーソルキー２０３〜２０６を用いてカーソルを所望の番組に対応する番組セルの位置に移動させることによって、その番組を選択することができるようになっている。
【００６０】
また、ＥＰＧ表示領域２２では、各チャンネルの番組に関する番組情報を表示する行に、そのチャンネルのロゴ、そのチャンネルの番号、そのチャンネルに対応する放送局名、そのチャンネルを選択するボタンとして予め登録されているリモコン２００のチャンネルボタンの番号が表示される。また、各チャンネルの番組タイトルを表示する行の上には、各番組の放送時間帯が表示されている。放送時間帯の表示領域では、選んでいる番組の時間帯が選択状態表示される。ＥＰＧ表示領域２２に表示されるＥＰＧの時間幅は、例えば３時間や６時間など適宜設定すればよいが、図３の例では６時間である。また、ＥＰＧ表示領域２２に表示されるＥＰＧのチャンネル数は、特に限定されないが、図３の例では１５チャンネル（サービス）である。
【００６１】
番組情報表示領域２１は、ＥＰＧ表示領域２２で選択状態表示された番組に関する情報であり、その番組を放送するチャンネルのロゴ、その番組を放送する放送局の名称、その番組を放送するチャンネルの番号、およびその番組のジャンルを示すアイコンに加えて、ＥＰＧ表示領域２２に表示されている番組タイトル（途中までの簡易表示）よりも詳細な番組タイトル、および放送時間（何時から何時まで放送されるか）を含んでいる。また、番組情報として、その番組のデジタルコピーが禁止されていることを示すアイコン、その番組のデジタルコピーが１回のみ許可されていることを示すアイコン（図３の番組情報表示領域２１におけるチャンネル番号の下のアイコン）、その番組が視聴予約されていることを示すアイコン、その番組が録画予約されていることを示すアイコン、その番組が有料放送またはＰＰＶ（ペイパービュー）番組であることを示すアイコンなども表示される。したがって、ユーザは、番組情報を見ることで、ＥＰＧ表示領域２２からは読み取ることができない有益な情報（詳細な番組タイトル、放送時間、デジタルコピーの可否など）を読み取ることができる。番組情報表示領域２１は、ＥＰＧ画面２０におけるＥＰＧ表示領域２２より上の位置に配置され、かつ、表示パネル１０のスクリーン１０ａの上部に配置されている。
【００６２】
操作ガイダンス表示領域２３は、選んでいるネットワーク（地上デジタル放送、ＢＳデジタル放送、またはＣＳデジタル放送）およびメディア（テレビ放送、ラジオ放送、またはデータ放送）、選んでいる日および曜日、カラーキー２０９〜２１１（青キー２０９、赤キー２１０、緑キー２１１、黄キー２１２）に関する操作ガイダンスを表示するものである。
【００６３】
ユーザは、視聴したい番組を視聴したり、番組を予約したりするのに、このＥＰＧ画面２０を使うことができる。すなわち、図３に示すＥＰＧ画面２０が表示された後、ユーザがカーソルキー２０３〜２０６を用いてカーソルを所望の番組の位置に移動させてその番組を選択し、決定キー２０７を押すと、選択した番組の視聴または予約を行うことができる。デジタル放送テレビ１００は、放送中の番組が選択されたときには選択された番組を選局し、未放送の番組が選択されたときには、予約選択画面に移行する。この予約選択画面は、視聴予約を行うか、録画予約を行うか、予約しないかを選択するものである。この選択をユーザが行うと、デジタル放送テレビ１００は、その選択に従った予約処理または予約キャンセル処理を行う。
【００６４】
なお、ＥＰＧ画面２０のＥＰＧ表示領域２２は、ユーザが上下カーソルキー２０３・２０６を用いてカーソルを上下に移動させるに従い、ＥＰＧを上下にスクロール表示するようになっている。これにより、ユーザが、ＥＰＧ表示領域２２に最初に表示されていないチャンネルの番組に関する情報を視聴したり選択したりすることができる。この上下方向のスクロールについては、後段で詳述する。
【００６５】
また、ＥＰＧ画面２０のＥＰＧ表示領域２２は、ユーザが左右カーソルキー２０４・２０５を用いてカーソルを左右に移動させるに従い、ＥＰＧを左右にスクロール表示するようになっている。これにより、ユーザが、ＥＰＧ表示領域２２に最初に表示されていない時間帯の番組に関する情報を視聴したり選択したりすることができる。
【００６６】
また、ＥＰＧ画面２０は、ユーザが終了キー２０８を押せば、消えるようになっている。すなわち、ユーザが終了キー２０８を押せば、表示パネル１０は、選局中の番組の映像を表示している状態（通常の視聴状態）に戻るようになっている。
【００６７】
〔日時検索モード（期間選択モード）〕
日時検索モードは、日時を指定して番組を探すことができるモードである。日時検索モードでは、デジタル放送テレビ１００が、番組表の中から特定の日および時間帯（この例では６時間単位）の番組を抜き出し、抜き出した番組の一覧を含む表示画面を表示パネル１０に表示させる。
【００６８】
図３に示すＥＰＧ画面２０が表示された状態では、デジタル放送テレビ１００は、ユーザがリモコン２００の緑キー２１１を押下するまで（ただし、ユーザがリモコン２００の終了キー２０８またはカラーキー２０９・２１０・２１２を押下しない限り）、基本画面２０を表示し続ける。
【００６９】
そして、システム制御部８は、ユーザがリモコン２００の緑キー２１１を押下すると、すなわち、ＥＰＧ画面２０から日時検索画面への切り替えを指示する指示信号をリモコン受光部７から受け取ると、デジタル放送テレビ１００は、基本表示モードから日時検索モードに切り替わり、番組情報表示領域を消去し、デジタル放送の放送局から受信したＥＰＧデータに基づいて、特定の時間帯の番組の一覧を表示する日時検索画面を表示する。
【００７０】
すなわち、システム制御部８のモード切替部８３は、図２４に示すように、リモコン２００の緑キー２１１（ＥＰＧ画面２０から日時検索画面への切り替えキー）の入力があると、現在の表示画面が通常のＥＰＧ画面２０であるか否かを判定する（Ｓ１）。すなわち、モード切替部８３は、リモコン２００の緑キー２１１の入力があると、ユーザがキー入力により指示（選択）した処理がＥＰＧ画面２０から日時検索画面への切り替え処理であるか否かを判定する。
【００７１】
そして、現在の表示画面が通常のＥＰＧ画面２０である場合（すなわち、ユーザがキー入力により指示（選択）した処理がＥＰＧ画面２０から日時検索画面への切り替え処理である場合）には、モード切替部８３が、ＥＰＧ画面２０から日時検索画面への切り替え処理、すなわち基本表示モードから日時検索モードへの切り替え処理を行う（Ｓ２）。
【００７２】
より詳細には、まず、モード切替部８３が、日時検索部８２に対して日時検索処理を行わせる。日時検索画面が起動されたときには初期設定の表示時間帯（この場合には現在の時刻を含む時間帯）が自動的に選択されるので、日時検索部８２は、この初期設定の表示時間帯に基づいて、初期設定の表示時間帯に該当する番組を検索し、検索により見つかった番組（表示時間帯の番組）の情報を表示制御部８１などに送る。一方、日時検索画面が起動された後、リモコン２００を介したユーザの指示（左右カーソルキー２０４・２０５、緑キー２１１、および黄キー２１２の何れかの操作）によって表示時間帯が指定されると、日時検索部８２は、この初期設定の表示時間帯に基づいて、ＥＰＧ情報取得（記憶）部４に記憶されたＥＰＧデータ中に含まれる各番組の情報から、指定された表示時間帯に該当する番組を検索し、検索により見つかった番組（表示時間帯の番組）の情報を表示制御部８１などに送る。
【００７３】
また、モード切替部８３が、表示制御部８１に対して日時検索モードに応じた表示制御を行わせる。すなわち、表示制御部８１が、どの番組を選択しているかを示す情報に基づき、日時検索モードに応じたＥＰＧデータ、すなわち検索条件を満たす番組のタイトルなどの情報などをＥＰＧ情報取得（記憶）部４から読み出してグラフィック描画部５に送ると共に、日時検索モードに応じた画面レイアウトの情報を画面レイアウト情報記憶部から読み出してグラフィック描画部５に送る。これにより、グラフィック描画部５によって日時検索画面の画像信号が作成される。
【００７４】
図２４のＳ１において、現在の表示画面が通常のＥＰＧ画面２０でない場合、すなわち現在の表示画面がその他の表示画面である場合には、その他の処理を行う（Ｓ３）。その他の画面およびその他の処理は、本発明には関係ないので、説明しない。
【００７５】
なお、ここでは、ＥＰＧ画面２０から日時検索画面への切り替え指示が、緑キー２１１の入力によって行われる場合について説明したが、ＥＰＧ画面２０から日時検索画面への切り替えを指示するセル（ボタン）をＥＰＧ画面２０に追加し、ユーザが、カーソルキー０３〜２０６を押下することでカーソルをそのセル上に移動した後、決定キー２０７を押下することで、ＥＰＧ画面２０から日時検索画面への切り替えを指示することができるようになっていてもよい。
【００７６】
その結果、図４に示すＥＰＧ画面５０（日時検索画面）が表示パネル１０に表示された状態となる。ＥＰＧ画面５０は、表示パネル１０にＥＰＧを表示させたい期間をユーザに選択させるための日時検索条件設定画面と、選択された時間帯のＥＰＧを表示する日時検索結果表示画面とを兼ねる日時検索画面である。ＥＰＧ画面５０は、図４に示すように、日時検索条件表示領域５１と、日時検索条件（６時間単位の時間帯）に対応するＥＰＧを表示するためのＥＰＧ表示領域２２Ｂと、操作ガイダンス表示領域２３とを含んでいる。
【００７７】
日時検索条件表示領域５１は、日時検索条件としての特定日の特定時間帯（全ＥＰＧのうちで表示させる期間；この例では６時間単位の時間帯）の選択を可能にするための複数（この例では４つ）のボタンを表示し、かつ、選択された日時検索条件に対応するボタンを選択状態表示（この例では反転表示）するものである。また、これらボタンの選択による特定日の特定時間帯の選択は、ユーザが左右カーソルキー２０４・２０５を押下することにより行うことができるようになっている。また、左右カーソルキー２０４・２０５による選択時間帯の切り替えは、日付の違いを越えて表示可能な全ての時間帯（ＥＰＧデータに対応する期間、例えば１週間分の全ての時間帯）へ選択時間帯を切り替えることが可能となっている。また、選択時間帯の日付は、ユーザが左右カーソルキー２０４・２０５を押下することにより変更できるが、ユーザが緑キー２１１または黄キー２１２を押下することによっても変更できるようになっている。ユーザが緑キー２１１を押下すると、選択時間帯が前日の同じ時間帯に変更され、ユーザが黄キー２１２を押下すると、選択時間帯が次の日の同じ時間帯に変更される。また、この例では、一度に、ある１日の全時間帯（この例では４つの時間帯）を選択するためのボタンが同時に表示されるようになっており、左右カーソルキー２０４・２０５、緑キー２１１、および黄キー２１２の何れかによる日付の切り替えに従って、表示されるボタンが変更されるようになっている。
【００７８】
ＥＰＧ表示領域２２Ｂは、縦方向のサイズが小さく、表示チャンネル数が少ない（図４の例では１２チャンネル）点以外は、ＥＰＧ表示領域２２と同様の構成を備えている。
【００７９】
ＥＰＧ表示領域２２Ｂは、ユーザが上下カーソルキー２０３・２０６を用いてカーソルを上下に移動させるに従い、ＥＰＧを上下にスクロール表示するようになっている。これにより、ユーザが、ＥＰＧ表示領域２２Ｂに最初に表示されていないチャンネルの番組に関する情報を視聴したり選択したりすることができる。この上下方向のスクロールについては、後段で詳述する。
【００８０】
また、ＥＰＧ表示領域２２Ｂは、ユーザが左右カーソルキー２０４・２０５を用いてカーソルを左右に移動させるに従い、ＥＰＧを左右にスクロール表示するようになっている。これにより、ユーザが、ＥＰＧ表示領域２２Ｂに最初に表示されていない時間帯の番組に関する情報を視聴したり選択したりすることができる。
【００８１】
図４に示すＥＰＧ画面５０（日時検索画面）が表示された状態では、デジタル放送テレビ１００が、ユーザがリモコン２００の青キー２０９または決定キー２０７を押下するまで、ＥＰＧ画面５０を表示し続ける。図４に示すＥＰＧ画面５０（日時検索画面）が表示された状態で、ユーザが青キー２０９または決定キー２０７を押下すると、デジタル放送テレビ１００は、日時検索モードから基本表示モードに切り替わり、図３に示すＥＰＧ画面２０（基本画面）を表示パネル１０に表示させた状態に戻る。
【００８２】
本実施形態に係るデジタル放送テレビ１００では、モード切替部８３が、通常のＥＰＧ画面２０から日時検索画面への切り替え処理（図２４のＳ２）、すなわち基本表示モードから日時検索モードへの切り替えを行うと、スクロール処理部８１ａが、モード切替部８３によるＥＰＧ番組選択モードから期間選択モードへの切り替えに応じて、チャンネル方向（上下方向）に沿ったＥＰＧのスクロールの移動単位（一度のユーザ指示による表示領域のシフト量）を切り替えるようになっている。
【００８３】
スクロール単位の切り替え処理について、図２５に基づいて説明する。
【００８４】
まず、図２５に示すように、上下カーソルキー２０３・２０６が入力されると、スクロール処理部８１ａは、現在の表示画面が、通常のＥＰＧ画面２０、日時検索画面、その他の表示画面の何れであるか否か、すなわちモード切替部８３によってどの表示モード（表示制御部８１の動作モード）が選択されているかを判定し（Ｓ１１）、判定結果に応じたスクロール処理（上下カーソルキー２０３・２０６の入力の処理）を行う。すなわち、まず、現在の表示画面が通常のＥＰＧ画面２０である場合（現在の動作モードが基本表示モードである場合）、スクロール処理部８１ａは、ＥＰＧをチャンネル方向（上下方向）に沿ってチャンネル毎にスクロールする（Ｓ１２）。現在の表示画面が日時検索画面である場合（現在の動作モードが日時検索モードである場合）、スクロール処理部８１ａは、ＥＰＧをチャンネル方向（上下方向）に沿ってページ単位でスクロールする（Ｓ１３）。
【００８５】
以上のように、スクロール処理部８１ａは、モード切替部８３による基本表示モードと日時検索モードとの間の切り替えに応じて、ＥＰＧのチャンネル方向へのスクロールの移動単位をチャンネル単位とページ単位との間で切り替えるようになっている。
【００８６】
上記構成によれば、日時検索モードでは、従来と比較してより大きい移動単位であるページ単位でチャンネル方向にＥＰＧをスクロールさせるようになっているので、ユーザ指示の回数あたりにおけるＥＰＧのスクロール量をより大きくすることができ、スクロールを高速化することができる。したがって、ユーザが、所望の期間に全てのチャンネルで放送される番組に関する番組情報を、より短時間で、また、より少ないキー入力で、閲覧することができる。
【００８７】
なお、スクロール処理部８１ａは、現在の表示画面がその他の表示画面であれば、その他の処理を行う（Ｓ１４）。その他の画面およびその他の処理は、本発明には関係ないので、説明しない。
【００８８】
次に、本実施形態に係るデジタル放送テレビ１００における基本表示モードでのスクロール処理を詳細に説明する。
【００８９】
本実施形態では、ＥＰＧのチャンネル方向に沿ったスクロールは、最後のチャンネル（最大の番号を持つチャンネル；この例では２００ｃｈ）に関する行の下に最初のチャンネル（最小の番号を持つチャンネル；この例では１０１ｃｈ）に関する行を表示させるようにスクロールを行うもの（いわゆるループスクロール）である。なお、ＥＰＧのチャンネル方向に沿ったスクロールは、下方へのスクロールをＥＰＧの最後のチャンネルが表示された時点で停止させる（上方へのスクロールをＥＰＧの最初のチャンネルが表示された時点で停止させる）ものであってもよい。
【００９０】
まず、ユーザから上方移動指示または下方移動指示があるか否か、すなわちユーザが上カーソルキー２０３または下カーソルキー２０６が押下されたか否かをチェックする。下方移動指示があった場合（下カーソルキー２０６が押下された場合）には、現在のカーソル位置に応じてカーソルの下方移動あるいは上方へのチャンネル単位のスクロール処理を行う。すなわち、まず、現在のカーソル位置が最下行にあるかどうかを判定する。現在のカーソル位置が最下行にない場合には、カーソル位置を現在選択している番組セルの直下の位置にある番組（同一時間帯に現在選択している番組のチャンネルに対する次のチャンネルで放送されている別の番組）の位置に移動させる。このとき、現在選択している番組が１つのチャンネルで放送されている場合には、１チャンネル分カーソルを移動させる一方、現在選択している番組が連続する複数のチャンネルで放送されている場合には、その番組を放送しているチャンネル数分だけカーソルを移動させる。現在のカーソル位置が最下行にある場合には、上から所定移動量（スクロールの移動単位）に対する数の行の表示を消去し、他の行を所定移動量だけ上方へ移動（スクロール）させる。この例では、所定移動量は、最下行の次の１チャンネルとさらにその次の１または複数のチャンネルとで同一の番組が放送されているときには、同一の番組を放送している複数のチャンネルに関する番組情報を表示する行の高さとし、最下行の次の１チャンネルとその次のチャンネルとで同一の番組が放送されていないときには、１チャンネルに関する番組情報を表示する領域の高さとする。そして、移動した行の下方に、所定移動量に対応する数の行（この例では１行）の表示を追加する。この追加する行は、直前の表示状態における最下行のチャンネルに対する次のチャンネルに関する行とする。
【００９１】
一方、入力待ち状態で上方移動指示があった場合（上カーソルキー２０３が押下された場合）には、現在のカーソル位置に応じてカーソルの上方移動あるいは下方へのチャンネル単位のスクロール処理を行う。すなわち、まず、現在のカーソル位置が最上行にあるかどうかを判定する。現在のカーソル位置が最上行にない場合には、カーソル位置を現在選択している番組セルの直上の位置にある番組（同一時間帯に現在選択している番組のチャンネルに対する前のチャンネルで放送されている別の番組）の位置に移動させる。このとき、現在選択している番組が１つのチャンネルで放送されている場合には、１チャンネル分カーソルを移動させる一方、現在選択している番組が連続する複数のチャンネルで放送されている場合には、その番組を放送しているチャンネル数分だけカーソルを移動させる。現在のカーソル位置が最上行にある場合には、下から所定移動量に対する数の行の表示を消去し、他の行を所定移動量だけ下方へ移動（スクロール）させる。この例では、所定移動量は、最上行の前の１チャンネルとさらにその前の１または複数のチャンネルとで同一の番組が放送されているときには、同一の番組を放送している複数のチャンネルに関する番組情報を表示する領域の高さとし、最上行の前の１チャンネルとその前のチャンネルとで同一の番組が放送されていないときには、１チャンネルに関する番組情報を表示する領域の高さとする。そして、移動した行の上方に、所定移動量に対応する数の行（この例では１行）の表示を追加する。この追加する行は、直前の表示状態における最上行のチャンネルに対する前のチャンネルに関する行とする。
【００９２】
次に、本実施形態に係るデジタル放送テレビ１００における日時検索モードでのスクロール処理を詳細に説明する。
【００９３】
まず、ユーザから上方移動指示または下方移動指示があるか否か、すなわちユーザが上カーソルキー２０３または下カーソルキー２０６が押下されたか否かをチェックする。下方移動指示があった場合（下カーソルキー２０６が押下された場合）には、上方へのページ単位のスクロール処理を行う。すなわち、表示されている番組情報を消去し、表示されていたページの次ページに相当する番組情報、すなわち表示されていた番組情報に対応する複数のチャンネルの次の複数のチャンネルに関する番組情報を表示する。
【００９４】
一方、入力待ち状態で上方移動指示があった場合（上カーソルキー２０３が押下された場合）には、下方へのページ単位のスクロール処理を行う。すなわち、表示されている番組情報を消去し、表示されていたページの前ページに相当する番組情報、すなわち表示されていた番組情報に対応する複数のチャンネルの前の複数のチャンネルに関する番組情報を表示する。
【００９５】
なお、あるチャンネルの次のチャンネルとは、あるチャンネルが最後のチャンネル（利用可能なチャンネルのうちで最も大きいチャンネル番号を持つチャンネル）でない場合には、あるチャンネルよりも大きいチャンネル番号を持つ利用可能なチャンネルのうちで最も小さいチャンネル番号を持つチャンネルであり、あるチャンネルが最後のチャンネルである場合には、最初のチャンネル（最も小さいチャンネル番号を持つチャンネル）である。また、あるチャンネルの前のチャンネルとは、あるチャンネルが最初のチャンネルでない場合には、あるチャンネルよりも小さいチャンネル番号を持つ利用可能なチャンネルのうちで最も大きいチャンネル番号を持つチャンネルであり、あるチャンネルが最初のチャンネルである場合には、最後のチャンネルである。
【００９６】
以上のように、本実施形態では、ＥＰＧ表示装置としてのデジタル放送テレビにおいて、通常のＥＰＧ表示モードではリモコン２００の上下カーソルキー２０３・２０６あるいは左右カーソルキー２０４・２０５によりチャンネル毎のスクロールで移動・選択をするようにし、日時検索モードへの切り替えのためのボタン（リモコン２００の緑ボタン２１１）を選択することにより通常のＥＰＧ表示モードから日時検索モードに切り替えた時に、チャンネル方向のスクロール単位をページ単位にしてスクロール表示を行うようになっている。これにより、チャンネルが多い時などに、日時検索モードで、チャンネル方向の高速スクロール検索ができる。したがって、ユーザが日時検索をする時に、チャンネル毎のスクロール操作が容易になる。
【００９７】
次に、従来のＥＰＧ表示装置の一例としてのシャープ株式会社製「ＡＱＵＯＳ  Ｇシリーズ」（以下、「従来機種」と称する）と本実施形態に係るデジタル放送テレビ１００との間における、日時検索画素の操作性の相違について、具体的な操作の例に基づいて以下に説明する。
【００９８】
以下の操作例では、ユーザが、１月１７日（月）午後５時００分〜午後５時１５分にＢＳの１０１チャンネル（以下、適宜「ｃｈ」と略記する）で放送されている番組（「△ニュース」）を視聴しながら、ＥＰＧを利用して番組の予約を行う操作を１月１７日（月）午後５時１３分に開始したものとする。また、ＥＰＧには、ＢＳの１０１ｃｈ、１０２ｃｈ、１０３ｃｈ、１４１ｃｈ、１４２ｃｈ、１４３ｃｈ、１５１ｃｈ、１５２ｃｈ、１５３ｃｈ、１６１ｃｈ、１６２ｃｈ、１６３ｃｈ、１７１ｃｈ、１７２ｃｈ、１７３ｃｈ、１８１ｃｈ、１８２ｃｈ、１８３ｃｈ、１９１ｃｈ、１９２ｃｈ、１９１ｃｈ、２００ｃｈの計２２個のチャンネルで放送されている番組の情報が表示されるものとする。また、ここでは、従来機種およびデジタル放送テレビ１００とを、同じリモコン２００を用いて操作する場合について説明する。
【００９９】
従来機種およびデジタル放送テレビ１００において、ユーザが日時検索画面を利用する場合（状況）の例としては、例えば、
１．ユーザが、基本画面に表示されている時間帯（現在時刻を含む３時間または６時間の範囲）よりも後のある時間帯にどんな番組が放送されているかを調べ、放送されている番組の中からユーザの興味をひく番組を見つけ、見つけた番組を予約したい場合（日時を決めてから全チャンネルの番組検索を行いたい場合）
２．ユーザが、現在視聴しているチャンネルと異なるチャンネルで、基本画面に表示されている時間帯（現在時刻を含む３時間または６時間の範囲）よりも後に放送される番組を予約したい場合
３．ユーザが、現在視聴しているチャンネルで、基本画面に表示されている時間帯（現在時刻を含む３時間または６時間の範囲）よりも後に放送される番組を予約したい場合（チャンネル固定）
が挙げられる。
【０１００】
従来機種およびデジタル放送テレビ１００において、前述した１．の場合には、ユーザが、所望の番組を選択する操作を、（１−１）日時検索画面でチャンネル選択を行う方法、（１−２）通常ＥＰＧでチャンネル選択を行う方法、の２種類の方法の何れかで行うことができる。
【０１０１】
次に、（１−１）の方法の一例として、ユーザが、現在視聴しているチャンネル「１０１ｃｈ」で５日後（１月２２日（土））の午後９時〜１２時の時間帯にどんな番組が放送されているかを従来機種およびデジタル放送テレビ１００の日時検索画面を用いて調べ、調べた番組の中からユーザの興味をひく番組として１７１〜１７３ｃｈで放送される番組「△△通信」を見つけ、見つけた番組を予約する操作の例をそれぞれ、「従来機種操作例１」および「本テレビ操作例１」として説明する。
【０１０２】
〔従来機種操作例１〕
（１）まず、ユーザは、視聴中にリモコン２００の番組表キー２０１を押す。これにより、図５の表示画面が表示される。
【０１０３】
（２）次に、ユーザは、日時検索画面を表示させるためのキー、すなわちリモコン２００の緑キー２１１を押す。これにより、図６に示す日時検索画面が表示される。このとき、現在の日付（今日）および現在時刻を含む時間帯（午後３時〜午後６時）が日時検索条件として自動的に選択され、この日時検索条件を満たす番組を示す番組表が表示画面に表示される。また、日時検索画面には、日時検索条件として選択可能な日付（今日から７日後まで）を示す８個のボタンが表示される。表示されているボタンのうち選択されているボタンは、選択状態表示される。
【０１０４】
（３）次に、ユーザは、カーソルを、「今日」ボタンから「22[土］」ボタンに移動させるために、リモコン２００の右カーソルキー２０５を５回押す。これにより、図７の表示画面が表示される。
【０１０５】
（４）次に、ユーザは、日時検索条件として時間帯を選択するために、リモコン２００の黄キー２１２を押す。これにより、図８の表示画面が表示され、日時検索条件として選択可能な時間帯を示す８個のボタンが選択可能となり、カーソルが、「22[土］」ボタンから、現在時刻を含む時間帯（午後３時〜午後６時）を示すボタン（「３」ボタン）に移動する。
【０１０６】
（５）次に、ユーザは、カーソルを、午後３時〜午後６時の時間帯を示すボタン（「３」ボタン）から、午後９時〜午前０時の時間帯を示すボタン（「９」ボタン）に移動させるために、リモコン２００の右カーソルキー２０５を２回押す。これにより、１月２２日（土）の午後９時〜午前０時が表示時間帯として選択され、１月２２日（土）の午後９時〜午前０時に関するＥＰＧが表示される。その結果、図９の表示画面が表示される。
【０１０７】
（６）次に、ユーザは、他のチャンネルの番組情報を見るために、リモコン２００の下カーソルキー２０６を計１４回押す。まず、ユーザは、下カーソルキー２０６を１回押す。これにより、カーソルがチャンネル番号「１０１」の位置からチャンネル番号「１０２」の位置に移動し、図１０の表示画面が表示される。次に、ユーザは、下カーソルキー２０６を４回押す。これにより、カーソルがチャンネル番号「１０１」の位置からチャンネル番号「１４３」の位置まで移動する。その後、ユーザは、下カーソルキー２０６を１回押す。これにより、上方向へのスクロール処理（チャンネル単位）が行われる。このスクロール処理により、１０１ｃｈの行の表示が消去され、１５１ｃｈの行が新たに表示される。その結果、図１１の表示画面が表示される。さらに、ユーザは、下カーソルキー２０６を８回押す。これにより、上方向へのスクロール処理（チャンネル単位）が８回行われ、図１２の表示画面のように、１６１ｃｈ、１６２ｃｈ、１６３ｃｈ、１７１ｃｈ、１７２ｃｈ、１７３ｃｈの行が表示される。これにより、ユーザは、１７１〜１７３ｃｈで放送される番組「△△通信」を見つけることができる。なお、下カーソルキー２０６を８回押す代わりに６回または７回押してもよい。
【０１０８】
（７）次に、ユーザは、リモコン２００の決定キー２０７を押す。これにより、日時検索画面から通常のＥＰＧ画面（基本画面）に移り、図１３の表示画面が表示される。
【０１０９】
（８）次に、ユーザは、カーソルを、午後１１時００分〜１１時３０分に放送される番組「△△通信」に合わせるために、リモコン２００の右カーソルキー２０５を、２回（選択しているチャンネルで、選択した時間帯の最初から予約対象の番組の前までに放送される番組の数）だけ押す。これにより、右カーソルキー２０５が押された回数だけ、カーソルが番組から番組へと移動する。その結果、予約対象の番組「△△通信」が選択され、図１４の表示画面が表示される。
【０１１０】
（９）次に、ユーザは、選択した番組を予約するために、リモコン２００の決定キー２０７を押す。これにより、図１５の表示画面が表示され、番組の選択が確定する（番組の選択操作が終了する）。その後、図１５の表示画面でユーザが予約方法を選択すれば、予約が完了する。
【０１１１】
〔本テレビ操作例１〕
（１）まず、ユーザは、視聴中にリモコン２００の番組表キー２０１を押す（従来機種と共通の操作）。これにより、ＥＰＧ画面２０に相当する図１６の表示画面が表示パネル１０に表示される。
【０１１２】
（２）次に、ユーザは、日時検索画面を表示させるためのキー、すなわちリモコン２００の緑キー２１１を押す（従来機種と共通の操作）。これにより、ＥＰＧ画面５０に相当する図１７の日時検索画面が表示パネル１０に表示される。このとき、今日の現在時刻を含む時間帯（今日の午後０時〜午後６時）が日時検索条件として自動的に選択され、この日時検索条件を満たす番組を示す番組表が日時検索画面に表示される。また、日時検索画面には、日時検索条件として選択可能な時間帯（この場合、今日の現在時刻を含む時間帯から１週間後まで）のうち、今日の時間帯（今日の午後０時〜午後６時および午後６時〜午前０時）を示すボタンが表示される。表示されているボタンのうち選択されているボタンは、選択状態表示される。
【０１１３】
（３）次に、ユーザは、翌日移動キーである黄キー２１２を５回押す。あるいは、ユーザは、リモコン２００の右カーソルキー２０５を２０回押す。これにより、図１８の表示画面のように、１月２２日（土）の４つの時間帯を示すボタンが表示され、１月２２日（土）の「午後０時〜午後６時」ボタンが選択状態表示される。
【０１１４】
（４）次に、ユーザは、カーソルを「午後０時〜午後６時」ボタンから「午後６時〜午前０時」ボタンに移動させるために、リモコン２００の右カーソルキー２０５を１回押す。これにより、１月２２日（土）の「午後６時〜午前０時」ボタンが選択状態表示される。また、１月２２日（土）の午後６時〜午前０時が表示時間帯として選択され、１月２２日（土）の午後６時〜午前０時に関するＥＰＧが表示パネル１０に表示される。その結果、図１９の表示画面が表示パネル１０に表示される。
【０１１５】
（５）次に、ユーザは、他のチャンネルの番組情報を見るために、リモコン２００の下カーソルキー２０６を１回押す。これにより、下方向へのページ単位のスクロール処理が行われ、１０１〜１０３，１４１〜１４３，１５１〜１５３，１６１〜１６３ｃｈに関するＥＰＧが、これらチャンネルの次のチャンネル、すなわち，１９１〜１９３，２０３，１０１，１０２ｃｈに関するＥＰＧに切り替えられる。その結果、図２０の表示画面が表示パネル１０に表示される。これにより、ユーザは、１７１〜１７３ｃｈで放送される番組「△△通信」を見つけることができる。
【０１１６】
（６）次に、ユーザは、リモコン２００の決定キー２０７を押す（従来機種と共通の操作）。これにより、日時検索画面から通常のＥＰＧ画面に移り、図２１の表示画面が表示パネル１０に表示される。このとき、現在視聴中のチャンネルが存在する場合には、そのチャンネルで選択時間帯の最初に放送される番組のセルにカーソルが付けられる。また、現在視聴中のチャンネルが存在しない場合には、１番上のチャンネルで選択時間帯の最初に放送される番組のセルにカーソルが付けられる。
【０１１７】
（７）次に、ユーザは、番組「△△通信」を放送するチャンネル１７１〜１７３ｃｈにカーソルを合わせるために、リモコン２００の上カーソルキー２０３を６回押す。なお、カーソルは、上カーソルキー２０３を１回押すたびに１番組分移動するようになっている。この場合、１７１〜１７３ｃｈおよび１８１〜１８３ｃｈはそれぞれ放送している番組が同じであるため、これら３チャンネル分の移動は１回のカーソルキー２０３押下によって行われる。これにより、カーソルが１７１〜１７３ｃｈで放送されている番組へ移動する。
【０１１８】
（８）次に、ユーザは、カーソルを午後１１時００分〜１１時３０分に放送される番組「△△通信」に合わせるために、リモコン２００の右カーソルキー２０５を９回（選択しているチャンネルで、選択した時間帯の最初から予約対象の番組の前までに放送される番組の数）だけ押す。これにより、右カーソルキー２０５が押された回数だけ、カーソルが番組から番組へと移動し、図２２の表示画面が表示パネル１０に表示される。
【０１１９】
（９）次に、ユーザは、選択した番組を予約するために、リモコン２００の決定キー２０７を押す（従来機種と共通の操作）。これにより、図２３の表示画面が表示され、番組の選択が確定する（番組の選択操作が終了する）。その後、図２３の表示画面でユーザが予約方法を選択すれば、予約が完了する。
【０１２０】
以上のように、本テレビ操作例１では、従来機種操作例１における（６）の操作、すなわち下カーソルキー２０６を１２〜１４回押す操作を、下カーソルキー２０６を１回、上カーソルキー２０３を６回押す操作（（５）（７）の操作）に置き換えることができる。したがって、ユーザがキーを押下する回数を５〜７回減らすことができるので、ユーザが、より簡便な操作でかつより短時間で予約を行うことができる。
【０１２１】
特定の時間帯に全チャンネルで放送されている番組の中から興味のある番組を探す場合、これらの例のようにすぐに興味のある番組が見つかるとは限らず、番組情報を表示するチャンネルを何度も切り替えてから興味のある番組が見つかる場合や、興味のある番組が見つからない場合もありえる。
【０１２２】
番組情報を表示するチャンネルを何度も切り替えてから興味のある番組が見つかる場合、興味のある番組を見つけるための操作（従来機種操作例１の（６）の操作または本テレビ操作例１の（５）の操作）において下カーソルキー２０６を押下する回数が増える。しかしながら、その回数の増加は、従来機種と比較してデジタル放送テレビ１００では顕著に少なくなる（例えば１２〜１４回から１回に減少する）。そのため、上記の効果（操作の簡便化および操作時間の短縮）がより顕著となる。また、興味のある番組が見つからない場合にも、本テレビ操作例１の（７）の操作が不要となるので、上記の効果（操作の簡便化および操作時間の短縮）がより顕著となる。
【０１２３】
また、本テレビ操作例１では、従来機種操作例１の（３）〜（５）の操作、すなわち、右カーソルキー２０５を５回、緑キー２１１を１回、右カーソルキー２０５を２回押す操作を、黄キー２１２を５回（または右カーソルキー２０５を２０回）押す（３）の操作に置き換えることができる。したがって、ユーザが、操作するキーを移動させる回数（指の位置を動かす回数）を２回減らすことができ、より簡便な操作を実現できる。また、（３）の操作において黄キー２１２を５回を押す場合、ユーザがキーを押下する回数を３回減らすことができるので、ユーザが、より簡便な操作でかつより短時間で予約を行うことができる。
【０１２４】
また、日時検索モードでは、チャンネル方向（縦方向）のスクロールの移動単位がページ単位、時間軸方向（横方向）のスクロールの移動単位が６時間単位または１日単位と、両方とも大きいので、縦方向および横方向のスクロール速度を近づけることができ、自然なスクロール表示を実現できる。
【０１２５】
デジタル放送テレビ１００では、通常ＥＰＧでチャンネル選択を行う（１−２）の方法でも同じ番組の予約が行える。すなわち、本テレビ操作例１の（１）〜（４）の操作を行った後、本テレビ操作例１の（６）の操作（決定キー２０７の押下）を行えば、日時検索画面から通常のＥＰＧ画面に移り、１７１〜１７３ｃｈに関する行が追加される。これにより、ユーザは、１７１〜１７３ｃｈで放送される番組「△△通信」を見つけることができる。その後、本テレビ操作例１の（７）（８）（９）の操作を行えば、予約が完了する。この場合にも、本テレビ操作例１と同様に、従来機種操作例１と比較して、ユーザが、操作するキーを移動させる回数（指の位置を動かす回数）を２回減らすことができ、より簡便な操作を実現できる。また、（３）の操作において黄キー２１２を５回を押す場合、ユーザがキーを押下する回数を３回減らすことができるので、ユーザが、より簡便な操作でかつより短時間で予約を行うことができる。
【０１２６】
従来機種およびデジタル放送テレビ１００において、前述した２．の場合には、ユーザが、所望の番組を選択する操作を、（２−１）通常ＥＰＧ画面で１８１ｃｈを見つけてから日時検索を行う（チャンネルを決めて日時を決める）方法、（２−２）日時検索画面で日時を検索してから１８１ｃｈを選択する（日時を決めてチャンネルを決める）方法の何れかで行うことができる。
【０１２７】
上記の（２−２）の方法としては、（２−２−１）日時検索画面でチャンネル選択を行う方法、（２−２−２）通常ＥＰＧ画面でチャンネル選択を行う方法の２種類の方法が採用できる。（２−２−１）および（２−２−２）の方法は、（１−１）および（１−２）の方法と全く同様である。
【０１２８】
次に、（２−１）の方法の一例として、ユーザが、３日後の１月２０日（木）の午後８時〜午後８時５５分にＢＳ１８１ｃｈで放送される番組を従来機種およびデジタル放送テレビ１００の日時検索画面を用いて予約する操作の例をそれぞれ、「従来機種操作例２」および「本テレビ操作例２」として説明する。
【０１２９】
〔従来機種操作例２〕
（１）まず、ユーザは、視聴中にリモコン２００の番組表キー２０１を押す。これにより、図５の表示画面が表示される。
【０１３０】
（２）次に、ユーザは、カーソルを１８１ｃｈに移動させるために、上カーソルキー２０３を計７回押す。これにより、ＥＰＧが下方へ７チャンネル分スクロールし、１８１〜１８３，１９１〜１９３，２００ｃｈの行が新たに表示されると共に、カーソルが１８１ｃｈで現在放送されている番組の番組セルに移動する。
【０１３１】
（３）次に、ユーザは、日時検索画面を表示させるためのキー、すなわちリモコン２００の緑キー２１１を押す。これにより、日時検索画面が表示される。
【０１３２】
（４）次に、ユーザは、カーソルを「今日」ボタンから「20[木］」ボタンに移動させるために、リモコン２００の右カーソルキー２０５を３回押す。
【０１３３】
（５）次に、ユーザは、日時検索条件として時間帯を選択するために、リモコン２００の黄キー２１２を押す。これにより、日時検索条件として選択可能な時間帯を示す８個のボタンが選択可能となり、カーソルが、「20[木］」ボタンから、現在時刻を含む時間帯（午後３時〜午後６時）を示すボタン（「３」ボタン）に移動する。
【０１３４】
（６）次に、ユーザは、カーソルを、午後３時〜午後６時の時間帯を示すボタン（「３」ボタン）から、午後６時〜午後９時の時間帯を示すボタン（「６」ボタン）に移動させるために、リモコン２００の右カーソルキー２０５を２回押す。これにより、１月２０日（木）の午後６時〜午後９時が表示時間帯として選択され、１月２０日（木）の午後６時〜午後９時に関するＥＰＧが表示される。
【０１３５】
（７）次に、ユーザは、リモコン２００の決定キー２０７を押す。これにより、日時検索画面から通常のＥＰＧ画面（基本画面）に移る。
【０１３６】
（８）次に、ユーザは、カーソルを、午後８時１０分〜８時５５分に放送される番組に合わせるために、リモコン２００の右カーソルキー２０５を、５回押す。これにより、右カーソルキー２０５が押された回数だけ、カーソルが番組から番組へと移動する。その結果、予約対象の番組が選択される。
【０１３７】
（９）次に、ユーザは、選択した番組を予約するために、リモコン２００の決定キー２０７を押す。これにより、番組の選択が確定する（番組の選択操作が終了する）。その後、ユーザが予約方法を選択すれば、予約が完了する。
【０１３８】
〔本テレビ操作例２〕
（１）まず、ユーザは、視聴中にリモコン２００の番組表キー２０１を押す（従来機種と共通の操作）。これにより、ＥＰＧ画面２０に相当する図１６の表示画面が表示パネル１０に表示される。
【０１３９】
（２）次に、ユーザは、カーソルを１８１ｃｈに移動させるために、上カーソルキー２０３を計５回押す。すなわち、まず、ユーザが上カーソルキー２０３を１回押すと、図２６の表示画面に示すように、ＥＰＧが下方へ１チャンネル分スクロールし、２００ｃｈの行が新たに表示されると共に、カーソルが２００ｃｈで現在放送されている番組の番組セルに移動する。次に、ユーザが上カーソルキー２０３を３回押すと、ＥＰＧが下方へ３チャンネル分スクロールし、１９１〜１９３ｃｈの行が新たに表示されると共に、カーソルが１９１ｃｈで現在放送されている番組の番組セルに移動する。次に、ユーザが上カーソルキー２０３を１回押すと、図２７の表示画面に示すように、ＥＰＧが下方へ３チャンネル分スクロールし、１８１〜１８３ｃｈの行が新たに表示されると共に、カーソルが１８１〜１８３ｃｈで現在放送されている番組の番組セルに移動する。このとき、上カーソルキー２０３を１回押すだけで、ＥＰＧが３チャンネル分スクロールするのは、スクロール時に新たに選択される番組が、１８１〜１８３ｃｈで共通して放送されているからである。
【０１４０】
（３）次に、ユーザは、日時検索画面を表示させるためのキー、すなわちリモコン２００の緑キー２１１を押す（従来機種と共通の操作）。これにより、ＥＰＧ画面５０に相当する日時検索画面が表示パネル１０に表示される。
【０１４１】
（４）次に、ユーザは、翌日移動キーである黄キー２１２を３回押す。あるいは、ユーザは、リモコン２００の右カーソルキー２０５を１２回押す。これにより、１月２０日（木）の４つの時間帯を示すボタンが表示され、１月２０日（木）の「午後０時〜午後６時」ボタンが選択状態表示される。
【０１４２】
（５）次に、ユーザは、カーソルを「午後０時〜午後６時」ボタンから「午後６時〜午前０時」ボタンに移動させるために、リモコン２００の右カーソルキー２０５を１回押す。これにより、１月２０日（木）の「午後６時〜午前０時」ボタンが選択状態表示される。また、１月２０日（木）の午後６時〜午前０時が表示時間帯として選択され、１月２０日（木）の午後６時〜午前０時に関するＥＰＧが表示パネル１０に表示される。
【０１４３】
（６）次に、ユーザは、リモコン２００の決定キー２０７を押す（従来機種と共通の操作）。これにより、日時検索画面から通常のＥＰＧ画面に移る。このとき、現在視聴中のチャンネルが存在する場合には、そのチャンネルで選択時間帯の最初に放送される番組のセルにカーソルが付けられる。また、現在視聴中のチャンネルが存在しない場合には、１番上のチャンネルで選択時間帯の最初に放送される番組のセルにカーソルが付けられる。
【０１４４】
（７）次に、ユーザは、カーソルを午後８時００分〜８時５５分に放送される番組に合わせるために、リモコン２００の右カーソルキー２０５を、５回押す。これにより、右カーソルキー２０５が押された回数だけ、カーソルが番組から番組へと移動する。
【０１４５】
（８）次に、ユーザは、選択した番組を予約するために、リモコン２００の決定キー２０７を押す（従来機種と共通の操作）。これにより、番組の選択が確定する（番組の選択操作が終了する）。その後、ユーザが予約方法を選択すれば、予約が完了する。
【０１４６】
以上のように、本テレビ操作例２では、通常のＥＰＧ表示モードにおいて、チャンネル単位のスクロールを行っている。そのため、以下の効果を奏する。
【０１４７】
すなわち、まず、チャンネル番号および番号セル上にあるカーソルの移動量を最小限に抑えることができるので、ユーザがカーソル位置を見失ってしまい、選択されている番組およびそのチャンネルを確認するのに余分な時間や目の動きが必要になることを回避できる。また、通常のＥＰＧ表示モード（基本表示モード）では、チャンネル方向（縦方向）のスクロールの移動単位がチャンネル単位、時間軸方向（横方向）のスクロールの移動単位が番組単位と、両方とも小さいので、縦方向および横方向のスクロール速度を近づけることができ、自然なスクロール表示を実現できる。
【０１４８】
また、本テレビ操作例２では、従来機種操作例２の（４）〜（６）の操作、すなわち、右カーソルキー２０５を３回、黄キー２１２を１回、右カーソルキー２０５を２回押す操作を、黄キー２１２を３回（または右カーソルキー２０５を１２回）押す（４）の操作に置き換えることができる。したがって、ユーザが操作するキーを移動させる回数（指の位置を動かす回数）を２回減らすことができ、より簡便な操作を実現できる。したがって、ユーザが、操作するキーを移動させる回数（指の位置を動かす回数）を２回減らすことができ、より簡便な操作を実現できる。また、（４）の操作において黄キー２１２を３回押す場合、ユーザがキーを押下する回数を３回減らすことができるので、ユーザが、より簡便な操作でかつより短時間で予約を行うことができる。
【０１４９】
なお、以上の説明では、日時検索画面を用いた予約方法について説明したが、デジタル放送テレビ１００では、通常のＥＰＧ画面のみを用いて視聴や予約を行うことも可能である。通常のＥＰＧ画面のみを用いて予約を行う場合、本テレビ操作例２の（１）（２）（７）（８）の操作に相当する操作を行えばよい。また、通常のＥＰＧ画面のみを用いて視聴を行う場合、本テレビ操作例２の（１）（２）（８）の操作に相当する操作を行えばよい。放送中の番組のセルにカーソルがある状態で、リモコン２００の決定キー２０７が押されると、その放送中の番組の視聴が開始される。
【０１５０】
これらの場合にも、通常のＥＰＧ画面で、チャンネル単位のスクロールを行っている。それゆえ、前述した効果、すなわち、選択されている番組およびそのチャンネルを確認するのに余分な時間や目の動きが必要になることを回避でき、また、自然なスクロール表示を実現できるという効果が得られる。
【０１５１】
なお、上述の説明では、本発明のＥＰＧ表示装置が、ＥＰＧ情報を含むデジタル放送波を受信し、受信したデジタル放送波に含まれるＥＰＧ情報に基づいてデジタル放送のＥＰＧを表示するデジタル放送受信機能付きテレビである場合について説明したが、これに限るものではない。本発明のＥＰＧ表示装置は、ケーブルテレビの回線を通してＥＰＧ情報を含むデジタル放送信号を受信し、受信したデジタル放送信号に含まれるＥＰＧ情報に基づいてデジタル放送のＥＰＧを表示するテレビや、アナログ放送またはデジタル放送を受信すると共に、インターネット経由でＥＰＧ情報を取得し、取得したＥＰＧ情報に基づいてＥＰＧを表示するテレビなどにも適用可能である。
【０１５２】
また、上述したデジタル放送テレビ１００は、ＢＳデジタル放送、ＣＳデジタル放送、および地上テジタル放送の３種類の放送のいずれも受信可能であったが、これらのうちの１つまたは２つの放送のみを受信可能なテレビにも本発明は適用可能である。また、上述したデジタル放送テレビ１００は、テレビ放送、ラジオ放送、およびデータ放送の３種類のサービスに対応していたが、これらサービスの１つまたは２つの放送のみを受信可能なデジタル放送受信装置（例えば、ＥＰＧ表示機能を持つラジオ、データ放送受信専用機など）にも本発明は適用可能である。
【０１５３】
また、上述したデジタル放送テレビ１００は、複数のチャンネルで放送される番組に関する番組情報を、チャンネル番号を縦軸、放送時間を横軸とするＥＰＧの形態で表示するものであったが、表示されるＥＰＧの形態は、チャンネル順に一方向に配列した形態であれば特に限定されるものではなく、（１）ユーザが設定したチャンネルの優先順位を縦軸、放送時間を横軸とするもの；（２）チャンネル番号（またはユーザが設定したチャンネルの優先順位）を横軸、放送時間を縦軸とするもの；（３）番組情報をチャンネル番号（またはユーザが設定したチャンネルの優先順位）の順序で縦方向または横方向に並べたもの（例えば、裏番組を表示するもの）；などであってもよい。
【０１５４】
また、上述したデジタル放送テレビ１００は、日時検索条件を選択する手段として、日時検索結果（特定の時間帯のＥＰＧ）を表示する表示画面内に日時を指定するためのボタンを設け、カーソルの移動によって日時検索条件を選択するようになっていた。しかしながら、日時検索条件を選択する手段は、特に限定されるものではなく、日時検索結果（特定の時間帯のＥＰＧ）を表示する表示画面とは別の表示画面内に日時を指定するためのボタンを設け、カーソルの移動によって日時検索条件を選択する構成や、表示画面にボタンを設けずに、リモコンのボタンの操作によって日時を選択できる構成などであってもよい。
【０１５５】
また、上述したデジタル放送テレビ１００の日時検索モードでは、ユーザが日付および時間帯を指定するようになっていたが、ユーザが指定する日時検索条件は、期間を指定するものであれば特に限定されるものではなく、日付および時間帯の一方のみを指定するものであってもよい。
【０１５６】
また、チャンネル方向にページ単位でＥＰＧをスクロールする処理は、日時検索モードのＥＰＧ以外にも有効である。
【０１５７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０１５８】
最後に、ＥＰＧ表示装置のブロック、特にシステム制御部８は、ハードウェアロジックによって構成してもよいし、次のようにＣＰＵを用いてソフトウェアによって実現してもよい。
【０１５９】
すなわち、ＥＰＧ表示装置は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアであるＥＰＧ表示装置の制御プログラムのプログラムコード（実行形式プログラム、中間コードプログラム、ソースプログラム）をコンピュータで読み取り可能に記録した記録媒体を、上記ＥＰＧ表示装置に供給し、そのコンピュータ（またはＣＰＵやＭＰＵ）が記録媒体に記録されているプログラムコードを読み出し実行することによっても、達成可能である。
【０１６０】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１６１】
また、ＥＰＧ表示装置を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０１６２】
本発明は、ＥＰＧ情報に基づいて複数の番組に関する情報を表示するＥＰＧ表示装置、例えば、デジタル放送波を受信し、受信したデジタル放送波に含まれるＥＰＧデータに基づいてデジタル放送のＥＰＧを表示するデジタル放送受信機能付きテレビなどにおいて、ユーザの利便性を向上させるために利用できる。
【図面の簡単な説明】
【０１６３】
【図１】本発明の実施の一形態に係るＥＰＧ表示装置の構成を示すブロック図である。
【図２】本発明の実施の一形態に係るＥＰＧ表示装置と組み合わせて使用されるリモートコントローラの構成を示す平面図である。
【図３】本発明の実施の一形態に係るＥＰＧ表示装置において表示される表示画面の一例を示す図である。
【図４】本発明の実施の一形態に係るＥＰＧ表示装置において表示される表示画面の他の一例を示す図である。
【図５】従来のＥＰＧ表示装置において表示される表示画面の一例を示す図である。
【図６】従来のＥＰＧ表示装置において表示される表示画面の他の一例を示す図である。
【図７】従来のＥＰＧ表示装置において表示される表示画面のさらに他の一例を示す図である。
【図８】従来のＥＰＧ表示装置において表示される表示画面のさらに他の一例を示す図である。
【図９】従来のＥＰＧ表示装置において表示される表示画面のさらに他の一例を示す図である。
【図１０】従来のＥＰＧ表示装置において表示される表示画面のさらに他の一例を示す図である。
【図１１】従来のＥＰＧ表示装置において表示される表示画面のさらに他の一例を示す図である。
【図１２】従来のＥＰＧ表示装置において表示される表示画面のさらに他の一例を示す図である。
【図１３】従来のＥＰＧ表示装置において表示される表示画面のさらに他の一例を示す図である。
【図１４】従来のＥＰＧ表示装置において表示される表示画面のさらに他の一例を示す図である。
【図１５】従来のＥＰＧ表示装置において表示される表示画面のさらに他の一例を示す図である。
【図１６】本発明の実施の一形態に係るＥＰＧ表示装置において表示される表示画面のさらに他の一例を示す図である。
【図１７】本発明の実施の一形態に係るＥＰＧ表示装置において表示される表示画面のさらに他の一例を示す図である。
【図１８】本発明の実施の一形態に係るＥＰＧ表示装置において表示される表示画面のさらに他の一例を示す図である。
【図１９】本発明の実施の一形態に係るＥＰＧ表示装置において表示される表示画面のさらに他の一例を示す図である。
【図２０】本発明の実施の一形態に係るＥＰＧ表示装置において表示される表示画面のさらに他の一例を示す図である。
【図２１】本発明の実施の一形態に係るＥＰＧ表示装置において表示される表示画面のさらに他の一例を示す図である。
【図２２】本発明の実施の一形態に係るＥＰＧ表示装置において表示される表示画面のさらに他の一例を示す図である。
【図２３】本発明の実施の一形態に係るＥＰＧ表示装置において表示される表示画面のさらに他の一例を示す図である。
【図２４】本発明の実施の一形態に係るＥＰＧ表示装置における通常ＥＰＧ画面から日時検索画面への切り替え処理の流れを示すフローチャートである。
【図２５】本発明の実施の一形態に係るＥＰＧ表示装置における各モードでのスクロール処理の流れを示すフローチャートである。
【図２６】本発明の実施の一形態に係るＥＰＧ表示装置において表示される表示画面のさらに他の一例を示す図である。
【図２７】本発明の実施の一形態に係るＥＰＧ表示装置において表示される表示画面のさらに他の一例を示す図である。
【符号の説明】
【０１６４】
１    アンテナ
２    地上／ＢＳ／ＣＳデジタル復調部
３    デマルチプレクサ
４    ＥＰＧ情報取得部
５    グラフィック描画部
６    ＥＰＧ画面出力部
７    リモコン受光部
８    システム制御部
１０    表示パネル
１０ａ  スクリーン
１１    ＡＶデコーダ
１２    音声出力部
８１    表示制御部
８１ａ  スクロール処理部
８２    日時検索部
８３    モード切替部
１００    デジタル放送テレビ（ＥＰＧ表示装置）
２００    リモコン
２０１    番組表キー
２０３    上カーソルキー
２０４    左カーソルキー
２０５    右カーソルキー
２０６    下カーソルキー
２１１    緑キー
２１２    黄キー
【図１】
2006217431.tif 000003
【図２】
2006217431.tif 000004
【図３】
2006217431.tif 000005
【図４】
2006217431.tif 000006
【図５】
2006217431.tif 000007
【図６】
2006217431.tif 000008
【図７】
2006217431.tif 000009
【図８】
2006217431.tif 000010
【図９】
2006217431.tif 000011
【図１０】
2006217431.tif 000012
【図１１】
2006217431.tif 000013
【図１２】
2006217431.tif 000014
【図１３】
2006217431.tif 000015
【図１４】
2006217431.tif 000016
【図１５】
2006217431.tif 000017
【図１６】
2006217431.tif 000018
【図１７】
2006217431.tif 000019
【図１８】
2006217431.tif 000020
【図１９】
2006217431.tif 000021
【図２０】
2006217431.tif 000022
【図２１】
2006217431.tif 000023
【図２２】
2006217431.tif 000024
【図２３】
2006217431.tif 000025
【図２４】
2006217431.tif 000026
【図２５】
2006217431.tif 000027
【図２６】
2006217431.tif 000028
【図２７】
2006217431.tif 000029